(57)【特許請求の範囲】
【請求項１】
主方向に発光する少なくとも１つのＬＥＤを含む光源コネクタを備えたハウジングと、
前記ハウジングに接続された反射コリメータであって、前記反射コリメータは、熱換気に適したエアスリットによって互いに間隔を空けた複数の反射セグメントを含み、当該反射セグメントは、光源によって生成された横断的方向に発せられた光を前記主方向に対して実質的に平行な方向に向けて反射する、反射コリメータと、
前記反射コリメータの中心部上又は内に配置され、前記主方向に対して実質的に平行な方向に向けて前記光源によって生成された中心に発せられた光をコリメートする屈折コリメータと、を備え、
前記デバイスの前記少なくとも１つのＬＥＤは、接続手段を介して前記反射セグメントと熱的に接続され、前記反射セグメント及び前記接続手段は、熱伝導性材料を含む、
照明デバイス。
【請求項２】
基板上に配置され、主方向に発光する少なくとも１つのＬＥＤを含む光源コネクタを備えたハウジングと、
前記ハウジングに接続された反射コリメータであって、前記反射コリメータは、熱換気に適したエアスリットによって互いに間隔を空けた複数の反射セグメントを含み、当該反射セグメントは、光源によって生成された横断的方向に発せられた光を前記主方向に対して実質的に平行な方向に向けて反射する、反射コリメータと、
前記反射コリメータの中心部上又は内に配置され、前記主方向に対して実質的に平行な方向に向けて前記光源によって生成された中心に発せられた光をコリメートする屈折コリメータと、
前記基板に対して前記反射コリメータと反対側に配置されたエアムーバーと、を備え、
前記基板は、第１スルーホール及び第２スルーホールを含み、前記第１スルーホールが前記第２スルーホールよりも前記少なくとも１つのＬＥＤから遠位に配置され、
前記エアムーバーは、前記第２スルーホールを通じて前記エアムーバーへ向かう気流を生じさせ、前記エアムーバーから前記第１スルーホールに向かう気流を形成するように配置されている、
照明デバイス。
【請求項３】
前記光源コネクタは、列に配置された複数のＬＥＤを含み、前記反射セグメントは、長手形状を有し、前記ＬＥＤによって規定された前記列と実質的に平行に伸びる対で配置される、請求項１又は２に記載の照明デバイス。
【請求項４】
前記光源コネクタは、高密度実装配列で配置された１つ又は複数のＬＥＤを含み、前記反射セグメントは、リング形状である、請求項１又は２に記載の照明デバイス。
【請求項５】
隣接する反射セグメントは、前記デバイスの動作中、前記光源から発せられた光が隣接するセグメント間で実質的に少しも漏れ出る事ができず、あるセグメントから隣接するセグメント上に影が実質的に少しも落ちないように配置される、請求項１乃至４の何れか一項に記載の照明デバイス。
【請求項６】
前記反射セグメントの反射面は曲線を描く、請求項１乃至５の何れか一項に記載の照明デバイス。
【請求項７】
前記反射セグメントの反射面の少なくとも一部が反射ファセットを含む、請求項１乃至６の何れか一項に記載の照明デバイス。
【請求項８】
前記反射セグメントに含まれた前記ファセットは、半径方向及び回転方向の両方に延在する、請求項７に記載の照明デバイス。
【請求項９】
前記反射セグメントの前記反射面は、半径方向に延在するＴＩＲ溝を含む光学的に透明な誘電材料から成る、請求項８に記載の照明デバイス。
【請求項１０】
前記接続手段は、ヒートパイプを含む、請求項１に記載の照明デバイス。
【請求項１１】
前記光源コネクタは、少なくとも１つのＬＥＤを含む、請求項１乃至１０の何れか一項に記載の照明デバイス。
【請求項１２】
主方向に発光する少なくとも１つのＬＥＤを含む光源コネクタを備えたハウジングと、前記ハウジングに接続された反射コリメータであって、前記反射コリメータは、熱換気に適したエアスリットによって互いに間隔を空けた複数の反射セグメントを含み、当該反射セグメントは、光源によって生成された横断的方向に発せられた光を前記主方向に対して実質的に平行な方向に向けて反射する、反射コリメータと、前記反射コリメータの中心部上又は内に配置され、前記主方向に対して実質的に平行な方向に向けて前記光源によって生成された中心に発せられた光をコリメートする屈折コリメータと、含む照明デバイスの製造方法であって、
前記反射コリメータの前記反射セグメント、前記反射セグメントと前記少なくとも１つのＬＥＤとを接続する接続手段、及び前記屈折コリメータを製造するステップと、
前記反射セグメント、前記接続手段、及び前記屈折コリメータをコリメータ部品として位置決め及び接続するステップと、
前記コリメータ部品を前記少なくとも１つのＬＥＤに対してアライメント及び接続するステップと、
を含む、方法。
【請求項１３】
射出成形によって、前記反射セグメント、前記接続手段、及び前記屈折コリメータが単一のステップで製造される、請求項１２に記載の方法。
【請求項１４】
前記反射セグメント及び前記接続手段は、メタライズ層を備えた誘電材料から成る、請求項１２又は１３に記載の方法。
【発明の詳細な説明】
【技術分野】
【０００１】
本発明は、主方向に発光する少なくとも１つのＬＥＤを含むように構成された光源コネクタを備えたハウジング及びハウジングに接続された反射コリメータを含む照明デバイスに関する。本発明は、そのような照明デバイスの製造方法にも関する。
【背景技術】
【０００２】
冒頭の段落で言及したタイプの照明デバイスがそのようなものとして公知である。例えば、特許公報の米国特許第７８９１８４２−Ｂ２号は、ハウジング内に配置されたＬＥＤ及びこのハウジングに取り付けられたリフレクタを備えた照明デバイスを開示する。リフレクタは、ＬＥＤによって発せられた光を実質的にコリメートする事ができる概円錐体として設計される。複数の換気孔がリフレクタ本体の反射面に形成される。これらの換気孔は、照明デバイスの動作中にＬＥＤによって生成された熱の放散を可能にする。熱放散を向上させる為に、追加の孔を有する環状フランジが円錐リフレクタ本体の主端部に形成される。
【０００３】
公知の照明デバイスは、種々の欠点を継承している。言及した特許公報の図面に示されるように、ＬＥＤによって生成された光をコリメートする為に選択されたリフレクタの設計は、「深い」又は「長い」リフレクタを必要とする。従って、公知のリフレクタの「アスペクト比」（長さ／直径）は、やや高い。更に、リフレクタにおける換気孔は、リフレクタの反射の質を阻害し得る。この欠点は、リフレクタが実質的に平行な光ビームとしてＬＥＤによって生成された光を発する反射コリメータとして設計される場合に、特に問題となる。最後に、ＬＥＤによってリフレクタの内部で生成された熱の放散が最適ではない。
【発明の概要】
【発明が解決しようとする課題】
【０００４】
本発明は、これら及びあり得る他の欠点を克服又は少なくとも軽減する目的を有する。より詳細には、本発明は、コンパクトな設計に最適なコリメーション特性を組み合わせた照明デバイスを提供する事を目的とする。また、本発明の照明デバイスは、向上した熱放散を示すものである。
【課題を解決するための手段】
【０００５】
これら及びあり得る他の目的は、主方向に発光する少なくとも１つのＬＥＤを含むように構成された光源コネクタを備えたハウジングと、ハウジングに接続された反射コリメータであって、コリメータは、熱換気に適したエアスリットによって互いに間隔を空けた複数の反射セグメントを含み、これらのセグメントは、光源によって生成された横断的方向に発せられた光を前記主方向に対して実質的に平行な方向に向けて反射するように構成された反射コリメータとを含む照明デバイスを用いて達成され、この照明デバイスは、前記主方向に対して実質的に平行な方向に向けて光源によって生成された中心に発せられた光をコリメートするように構成された屈折コリメータを含む。
【０００６】
本発明は、発明者らによって得られた、コリメータが幾つかの互いに分離した反射セグメントから成る設計を用いる事によって公知の照明デバイスのコンパクトさ及び熱放散を大幅に向上させる事ができるという洞察に基づくものである。これらのセグメントは、基本的に、異なる焦点距離（焦点と放物線の頂点との距離）を有する放物線状の反射外形を有する部分である。これらのセグメントは、隣接するセグメント間にエアスリットが連続して存在するように配置される。このタイプのエアスリットは、ハウジングと、ハウジングに隣接するセグメントとの間にも存在してもよい。但し、後者のタイプのエアスリットは、本発明の機能にとって必須ではない。ハウジングは、光源が上に取り付けられる基板として具現化されてもよい。しかしながら、それは、必要であれば電子機器及び配線と共に光源が内部又は上に配置されるボウル又は箱形状の容器でもよい。屈折コリメータは、好ましくは、光学レンズとして具現化される。特に、例えば光出射窓全体に亘って光を放射する及び反射セグメントのみを含むコリメータとは対照的に、屈折コリメータによって、光ビームの中心部分も主方向と平行な光線として放射される事が達成される。更に、反射セグメントのみを含むコリメータでは、中心セグメント（即ち、光軸又は光軸面に近い）は、主方向とほぼ平行に延在し、従って、前記コリメータが比較的深くなり、その結果、好ましくない高アスペクト比を有する事になる。フレネルレンズは、照明デバイスのコンパクトさを維持するので、最も好ましい。従って、そのようなフレネルレンズが反射コリメータの中心部分上又は内部に配置された場合に、デバイスのアスペクト比は、殆ど又は全く変化しない。
【０００７】
好ましくは、反射セグメントは、最も一般的に用いられるリフレクタの形であるので、リング形状、直線、円形、又は多角形の形状である。外側の反射セグメント及び比較的中心の反射セグメントは別として、全て（その他、中間）の反射セグメントは、両面反射セグメントでもよい。両面反射セグメントは、１つのピースとして作られ、両面が反射性である、即ち、通常互いに異なる外形を有した反射性第１の主面及び反射性第２の主面を有する一体型セグメントとして理解されるものである。あるいは、両面セグメントは、互いに方向を変えた非反射面を有する２つ以上の片面反射セグメントの配置及び組み合わせを含み、これらの片面反射セグメントは合わせて、事実上一体型の１つのピースの両面反射セグメントを形成すると理解されるものである。これらの反射セグメントは、ホルダーによって適所に保持される。一般的に、反射コリメータは、以下のように機能する：
−第１の反射セグメントは、その第１の反射主面によって、光源から来る光を一度反射された光として、照明デバイスによってターゲット方向に放射された光ビームの中心軸又は面から更に離れた半径方向にある第２の反射セグメント、即ち、円形の反射セグメントの場合、より大きい全径の反射セグメント上へと反射する；
−対応する第２のセグメントは、その第２の反射主面によって、一度反射された光を二重反射光として、ターゲット領域へのターゲット方向と実質的に平行な方向に反射し、このターゲット方向は、通常、照明デバイスの光軸に相当する。第１及び第２の反射セグメントの傾斜角及び大きさ／サイズは（但し、これは一般的に全ての反射セグメントに当てはまる）、基本的に直接又は反射光線経路の妨害（影形成）が生じず、基本的に全て、即ち、光源からの光の９０％を超える、９５％を超える、又は９８％が捕捉及びコリメートされるように選択される。
【０００８】
光学的概念は、例えばＬＥＤでもよいランバート光源からの全ての光を収集及びコリメートする、即ち、コリメーション効率は１００％に近づく（比較的小さな反射損失は考慮しない）。光学的概念は、コンパクトなショートアーク高圧ガス放電ランプ又はハロゲン白熱灯を用いた場合でも機能し、それは、そのような均一に発光する光源の半球状立体角よりも大きい角度をカバーするように設計する事ができる。
【０００９】
セグメント化されたコリメータの設計により、長い又は深い反射コリメータ本体は不必要である。従って、照明デバイスの「アスペクト比」は、比較的小さく設計する事ができる。また、比較的大きなエアスリットを隣接する反射セグメント間と同様に、反射コリメータとハウジングとの間に設計する事ができる。反射セグメントは、薄くする事ができ、それらの配向により、反射セグメントは、エアフローに対して微小の抵抗を示す。従って、ハウジング及びコリメータによって規定された空間内でＬＥＤによって生成された熱は、これらのエアスリットを通り抜ける空気の対流によって、今度は比較的簡単に周囲に換気する事ができる。従って、本発明の設計は、低アスペクト比及び照明デバイスの前端部において熱放散の為の最適設計を達成する自由を多く与える。
【００１０】
以下により詳細に示されるように、本発明の設計の反射コリメータは、特に横断的方向に発せられた光のコリメートに適している。これは、ＬＥＤによって発せられる光の主方向から約３０°を超える角度離れて発せられた光として理解されるものである。より小さな角度で発せられた光（一般に中心に発せられた光と呼ぶ）は、コリメートされないままとなり得る又は異なる手段によってコリメートされ得る。発せられた光の後者の部分は、本発明に従って設計されたような反射コリメータによって効率的にコリメートする事はできない。「約」という単語は、３０°の角度が最適であると考えられるが、この角度は、多少小さく又は大きく選択する事もできる事を示す。前記角度は、２５°若しくは３５°でもよい、又は２０°〜４０°の範囲の何れの角度でもよい。「実質的に平行」という表現は、コリメート光が最大で２０°、好ましくは最大で１０°、及び最も好ましくは最大で５°の偏差で発せられた光の主方向に対して平行である事を意味する。本発明は、１つ又は複数のＬＥＤを恒久的に含む照明デバイス及び光源コネクタにおいてＬＥＤの取り込み又は交換に適応したデバイスの両方において具現化される事が考慮されている。後者のコネクタは、ＬＥＤと照明デバイスの電源との電気コンタクトをアレンジする。
【００１１】
任意選択的に、光源を通る、反射セグメントを横断する、及びターゲット方向に沿った断面で見た場合、両面反射セグメントは、入れ子構造で配置される。この反射セグメントの配置は、ターゲット方向から増加する軸外角度で発せられた光源からの光線を光出射窓の中心から増加する半径方向距離にある光出射窓から出射させる。アッベの正弦条件と一致して、そのような特徴を実現させるコリメータは、比較的一定の倍率を生み出す。アッベの正弦条件は、レンズ又は他の光学系がターゲット領域において軸外及び軸上の物体の鮮明な像を生み出す為に、それによって満たされなければならない条件である。照明デバイスの場合、これは、パターンの端部における良好なカットオフにつながる。
【００１２】
本発明の照明デバイスの興味深い実施形態は、光源コネクタが列に配置された複数のＬＥＤを含むように設計され、反射セグメントは、長手形状を有する及びＬＥＤによって規定された列と実質的に平行に伸びる対で配置されるという特徴を持つ。この実施形態は、所謂「ライン照明」において特に有用である。そのような実施形態では、対のリフレクタセグメントの個々のセグメントは、デバイスの動作中に複数のＬＥＤによって発せられる光ビームの主方向によって規定される「光軸面」の両側に配置される。
【００１３】
原則として、複数のＬＥＤは曲線に配置する事ができるが、それらを直線に配置する事が好ましい。後者の設計では、長手方向反射セグメントも、真っすぐな形を有し、この形は、曲線の形よりも簡単に製造する事ができる。ＬＥＤの列は、１つの光源位置につき１つのＬＥＤを有するように設計されてもよいが、１つの光源位置につき２つ以上の密接に隣接したＬＥＤを有する列も実現可能である。列に配置されたＬＥＤは、隣接するＬＥＤが直ぐ近くにあるように設計されてもよいが、列上の隣接するＬＥＤは、ある（好ましくは同じ）距離離れてもよい。ＬＥＤは、平面上に配置され得るが、段構造上にＬＥＤを配置する事も可能である。
【００１４】
本発明の照明デバイスの別の興味深い代替実施形態は、光源コネクタが高密度実装配列で配置された１つ又は複数のＬＥＤを含むように設計され、反射セグメントは、リング形状であるという特徴を持つ。本発明のこの実施形態は、光源がコンパクトディスク状の光源と実質的に似たスポット照明用途にとって特に興味深いものである。前記光源は、単一の高出力ＬＥＤ又は幾つかの近くに共に配置された同様のＬＥＤを含んでもよい。この点において、近い距離で対称的に配置された３つ、４つ、又は７つのＬＥＤを用いたコンパクト設計が好ましい。ＬＥＤは、個々のＬＥＤパッケージとして又は所謂チップオンボードアレイとして利用する事ができる。
【００１５】
本発明の範囲内で、照明デバイスにおいて様々なリング形状のセグメントを適用する事ができる。従って、多角形、長方形、及び正方形状の反射セグメントを有する反射コリメータが、楕円形状の反射セグメントを含む反射コリメータと同様に、全て実現可能である。しかしながら、好ましいのは、実質的に円形状を有する反射セグメントである。本発明の照明デバイスの後者の設計は、現在人気のあるスポットライト設計に最もよく似ている。言及した形状は、セグメント及びＬＥＤの平均光軸に対して垂直な平面を通る断面によって得られた外形によって規定される。
【００１６】
本発明による照明デバイスの更に興味深い実施形態は、デバイスの動作中、光源によって発せられた光が隣接するセグメント間で実質的に少しも漏れ出る事ができない及びあるセグメントから隣接するセグメント上に影が実質的に少しも落ちないように隣接する反射セグメントが配置される事を特徴とする。非反射光がコリメータの隣接するセグメント間のギャップを介して漏れ出る事ができる場合、望ましくない光損失が存在する。リフレクタセグメントの反射面上の影の領域も望ましくない。そのような影は、コリメータ表面の機能部分を減少させる。また、そのような領域の存在は、コリメート光ビームの最大達成可能強度を低下させる。更に、そのような影は、反射コリメータの準最適設計を意味し、リフレクタ材料の不必要な増加及び熱放散の低下につながる。また、反射コリメータが光源と光出射窓との間に部分的に配置されるだけでなく、光軸に沿って上流側から見て、光源を越えて部分的に配置される本発明による照明デバイスが構想される。この実施形態は、基本的にコリメートされた二重反射光の平行光線のみが照明デバイスから放射されるという利点を持つ。
【００１７】
同様に興味深いのは、反射セグメントの反射面が曲線を描くという発明的特徴を有する照明デバイスである。セグメントの反射面が平坦である又はより好ましくは平坦なファセットを有した多面構造を有する場合に、ＬＥＤによって発せられた光の実質的なコリメーションが既に得られている事に留意されたい。しかしながら、反射面が曲線を描く場合に向上したコリメーションが得られる。曲面の外形は円形でもよいが、放物線状の外形が、そのような外形が理論上最大コリメーションを提供する事ができるので好ましい。後者の実施形態では、様々なセグメントの反射面は、異なる焦点距離を有する点で互いに異なる一連の放物線の部分を形成する。これらのセグメント部分は、それらの焦点（リング形状コリメータの場合）又は焦線（長手形状コリメータの場合）が一致するように配置される。後者の設計では、光源は、そのように配置されたリフレクタセグメントの焦点又は焦線に配置されるべきである。
【００１８】
断面における、即ちそれらの長手方向を横断する反射セグメント部分の外形は、直線状、楕円状、又は放物線状と選択する事ができるが、２つの非球面プロファイルが、特に幅のある光源用に設計される場合に特定の利点を有する。追加的又は代替的に、反射セグメント上に例えばミラーセグメンテーション又はファセットのオーバーレイ構造を設ける事もできる。この構造は、各反射セグメントの外形からの逸脱又は半径方向及び回転方向の両方におけるファセット化でもよい。反射セグメントの反射面の少なくとも一部が反射ファセットを含む本発明の照明デバイスの実施形態にも関心が向けられる。これらのファセットは、平坦でもよい又は１つ若しくは２つの方向の湾曲を有してもよい。それらは、凹面又は凸面でもよい。このようなファセットは、ＬＥＤによって生成されるコリメートビームの均一性を向上させる、ビーム成形の微調整を行う、及び／又は光パターンの色混合を行う事ができる。異なる波長の放射を発するＬＥＤが使用される場合、そのようなファセットは、照明デバイスによって発せられる光ビームにおける色混合を向上させる事ができる。反射セグメントに含まれるファセットが半径方向及び回転方向の両方に延在する場合に、最も高いビーム均一性及び色混合が得られる。
【００１９】
本発明の照明デバイスの別の魅力的な実施形態は、リフレクタセグメントの反射面が半径方向に延在するＴＩＲ溝を含む光学的に透明な誘電材料から成る事を特徴とする。そのような設計では、反射面に当たる光線は、リフレクタの前面において第１の屈折、その後、１つの溝表面で第１の全内部反射（＝ＴＩＲ：total internal reflection）、次に、１つの溝表面で第２の全内部反射、及び最後に回転された前面において第２の屈折を受ける。溝表面の各対が実質的に９０°の角度を形成するようにＴＩＲ溝が形成される場合、説明したようなビームの軌跡は、基本的に、単一の鏡面反射と同じ様に作用する。
【００２０】
先に詳述したように、中心に発せられた光は、主方向から約３０°以下の小角度で光源によって発せられた光として理解されるものである。そのような光は、本発明の照明デバイスのリフレクタセグメントによってコリメートする事が難しい。そのような光のコリメーションは、セグメントの反射面に対する非常に小さな反射角度を意味する。また、発せられた光のこの部分を反射する為に必要な隣接するセグメントの配置は、互いに非常に近くあるべきである。これを考慮して、ＬＥＤによって発せられたような光の中心部分をコリメートする為のレンズ等の屈折素子の使用が好ましい。「約」という単語は、３０°の角度が最適であると考えられるが、この角度は、多少小さく又は大きく選択する事もできる事を示す。前記角度は、２５°若しくは３５°でもよい、又は２０°〜６０°の範囲の何れの角度でもよい。「実質的に平行」という表現は、コリメート光が最大で２０°、好ましくは最大で１０°、最も好ましくは最大で５°の偏差で発せられた光の主方向に対して平行である事を意味する。
【００２１】
本発明の照明デバイスの興味深い別の実施形態は、デバイスの少なくとも１つのＬＥＤは、接続手段を介して反射セグメントと熱的に接続され、反射セグメント及び接続手段は、熱伝導性材料を含むという特徴を持つ。この実施形態の特徴は、ＬＥＤによって生成された熱の反射セグメントへの効率的な伝達を可能にする。この伝達された熱は、後に、空気の対流によって放散する事ができ、この流れは、開放されたエアギャップを通って簡単にリフレクタセグメントを通過する事ができる。セグメントを通過する間に、それらは、セグメントの熱を奪い、それを外部に分配する事ができる。
【００２２】
複数の反射セグメントは、幾つかの接続手段によって光源に対して正しい位置及び配向に維持される。実際には、これらの接続手段はまた、隣接する反射セグメントを互いに安定した及び正しい位置に維持する。これらの接続手段は更に、通常、ＬＥＤが上に配置されるＬＥＤ基板、ＬＥＤサブマウント及び／又は別個のヒートシンクとして具現化され得るデバイスのハウジングによって、セグメント及びＬＥＤを接続する。接続手段の数及びタイプは、長手方向又はリング形状リフレクタセグメントの寸法に従属する。実際には、リング形状コリメータを有する照明デバイスにおいて、２つ、３つ又は４つの対称配置された接続手段が使用される。長手方向形状を有する反射セグメントを有する照明デバイスにおける接続手段の数は、これらのセグメントの長さによって決まる。接続手段によって占められる投影面積は、エアギャップによって規定される空間と比較して小さく、一般的に１０％未満及びより一般的には２％未満である。従って、エアギャップを通る対流による熱放散は、これらの接続手段の存在に殆ど又は全く影響を受けない。また、光学的発光も接続手段の存在によってごく僅かに影響を受ける。
【００２３】
原則として、反射セグメント及び接続手段の両方に対して、異なるタイプの材料を使用する事ができる。従って、プラスチックのセグメントが実現可能である。そのような材料は、通常、熱輸送特性を持たない。従って、金属のセグメントが、それらがはるかに良好な熱輸送特性を持つので好ましい。一般的に、少なくとも大部分が銅、アルミニウム又はそれらの合金から成るセグメント及び接続手段が、特にそれらの優れた熱伝達特性の観点から、本発明の照明デバイスの本実施形態において特に適していると思われる。
【００２４】
本発明の更に興味深い実施形態は、接続手段がヒートパイプを含むという特徴を持つ。ヒートパイプでは、ヒートパイプ内に捕捉された作動液を気化させる事によって、熱が高温端において吸収される。結果として生じた気体は、ヒートパイプの低温側で液化し、そこに潜熱を堆積させる。毛細管力及び気体の対流は、固体金属の熱導体を用いた場合得る事のできない非常に高い熱伝達を提供する大量輸送力である。そのようなヒートパイプの存在は、ＬＥＤから反射コリメータセグメントへの熱伝達を大幅に増加させる事ができる。
【００２５】
本発明の照明デバイスの別の向上した実施形態は、それが反射セグメントに沿って強制エアフローを生成する手段を含むという特徴を持つ。この方策は、照明デバイスにおいてＬＥＤによって生成された熱の大幅に増加された放散を生じさせる事ができる。この方策の適用は、ＬＥＤ基板及び／又は反射セグメントによって加熱された空気の受動的対流が不十分な熱放散をもたらす場合に必要とされ得る。強制エアフローは、吹き込み又は吸引によって生成されてもよい。従って、反射セグメント間のエアスリットを通して加熱された空気をハウジングから外へ吹き出す事ができ、それによって、空気の取り入れが照明デバイスの背面で生じ得る。異なる実施形態では、エアフローが反転され、コリメータ側から空気を吸引し、加熱された空気を照明デバイスの背面へと吹き出してもよい。更に別の実施形態では、冷たい空気が反射セグメント間のエアスリットの幾つかを通して吸引されてもよいのに対して、加熱された空気は、他の反射セグメント間から吹き出されてもよい。強制エアフローは、好ましくは、照明デバイスにおいて具現化され得るファン等の効率的なエアムーバー、ブロワー又はシンセティックジェットを用いて実現される。そのような強制エアフローは、ＬＥＤ及びドライバ電子機器の特性がＬＥＤによって生成された熱によって悪影響を受けないように、熱を十分に放散させる事ができる。
【００２６】
本発明の別の興味深い実施形態は、光源コネクタが少なくとも１つのＬＥＤを含むという特徴を持つ。このＬＥＤは、光源コネクタに恒久的に取り付けられてもよい又は取り外し可能若しくは交換可能でもよい。白色光（蛍光体コーティングされた）ＬＥＤ又は異なる波長で照射するＬＥＤ等の様々なタイプのＬＥＤを適用する事ができる。低出力及び高出力ＬＥＤの両方を本発明の中で使用する事ができる。
【００２７】
任意選択的に、隣接する反射セグメントは、動作中に、光源によって発せられた光が反射される事なく前記隣接するセグメント間を伝搬する事が基本的にできない（例えば１０％以下、５％以下、又は２％以下）及び影が前記光源からの光によってあるセグメントから隣接するセグメント上に基本的に落ちない（例えば、セグメントの照明された領域の１０％以下、５％以下、又は２％以下の表面率）ように配置される。従って、反射セグメント間の光学ギャップを通って逃げる非反射光の望ましくない光損失が妨げられる。隣接する反射セグメントの反射セグメント上の影の領域はまた、そのような影が反射セグメント及び引いてはコリメータの機能部分を減少させるので望ましくない。また、そのような影の領域の存在は、コリメート光ビームの最大達成可能強度を低下させる。更に、そのような影の領域は、反射コリメータの準最適設計を意味し、リフレクタ材料の不必要な増加につながる。
【００２８】
照明デバイスは、予め組み込まれた及び恒久的にベース上に固定された光源を含む一体型照明デバイスでもよく、コリメータを備えた光源が照明デバイス内で予めアライメントされるという利点を提供する。あるいは、それは、簡単にアライメント可能な光源の場合、別個の光源がベース上に取り付けられ、任意選択的にそれから取り外し可能でもある非一体型照明デバイスでもよい。
【００２９】
本発明は更に、本発明による少なくとも１つの照明デバイスを含む照明器具に関する。一般的に、そのような照明器具は、照明デバイスの隣に、ハウジング及びそれを配電線に接続する為のベースとしての少なくとも１つの電気コンタクトを含む。好ましくは、照明器具は、少なくとも２つの照明デバイスを含み、各々がそれぞれのターゲット発光方向を有し、前記それぞれのターゲット発光方向の少なくとも２つが同じ又は異なる。照明デバイスが同じターゲット方向を有する場合、高輝度スポット照明を得る事ができる。各照明デバイスのターゲット方向が互いに異なる場合、所望の配光又は光パターンを得る事ができる。
【００３０】
本発明は、照明デバイスの製造方法にも関する。この方法は、１）反射コリメータの反射セグメント、接続手段、及び任意選択的に屈折コリメータを製造するステップと、２）反射セグメント、接続手段、及び任意選択的に屈折コリメータをコリメータ部品として位置決め及び接続するステップと、３）コリメータ部品をＬＥＤに対してアライメント及び接続するステップとを含む。これらの異なる部品は、後で接続及びアライメントされる個々の部品として製造する事ができる。従って、屈折コリメータは、ガラス又はプラスチックのフレネルレンズとして、例えば射出成形によって製造されてもよい。接続手段は、プラスチックから例えば射出成形によって、又は好ましくは熱伝導性材料から例えば厚い金属シートのダイカスト若しくはスタンピングによって、「スパイダーアーム」として製造されてもよい。反射コリメータセグメントは、例えば射出成形及び後続の例えばアルミニウム又は銀の様な金属による反射面のメタライズによって、プラスチックから製造されてもよい。セグメントは、好ましくは、反射シート又はスラットからのスタンピング又は深絞りによって、アルミニウム又はアルミニウム合金の様な金属から製造される。これらの３つのタイプのコリメータ部品は、本発明による照明デバイスを形成する為に、後にスナップイン機構によって接続され得る又は共にＬＥＤと光学的にアライメントされ得る。
【００３１】
本発明の照明デバイスを製造する好ましい方法は、射出成形によって、反射コリメータセグメント、接続手段、及び任意選択的に屈折コリメータが単一のステップで製造されるという特徴を持つ。そのような１つのステップでの単一のピースとしてのコリメータ部品の製造は、特に大量生産設備において有用である。３つ（又は照明デバイスにおいて屈折コリメータが利用できない場合には２つ）の同時形成されたコリメータ素子は、後で互いにアライメントされる必要はないが、完成した照明デバイスを製造する為には、ＬＥＤとアライメントされる必要がある。射出成形は、プラスチックの様な光学的に透明な誘電材料を用いて行われてもよい。成形された部分は、特に反射コリメータセグメントの反射面上で、例えばアルミニウム又は銀の金属蒸発によってメタライズされる必要がある。メタライズの間に、屈折コリメータ（例えばフレネルレンズとして形成された）を例えばこのコリメータ素子をマスキングする事によってメタライズを受けないようにする事が必須である。単一ステップでの反射コリメータセグメント及び接続手段の製造並びに製造されたコリメータ部品への屈折コリメータの追加も実現可能な選択肢である。記載された方法を用いて、様々な寸法のコリメータ部品を製造する事ができる。
【００３２】
本発明は、以下に記載される実施形態及び図面を用いてより詳細に明らかにされる。
【図面の簡単な説明】
【００３３】
【図１】本発明による照明デバイスの第１の実施形態の３Ｄ表示を示す。
【図２】本発明による照明デバイスの第２の実施形態の３Ｄ表示を示す。
【図３】第２の実施形態による照明デバイスの光軸を通る断面を示す。
【図４】加熱された空気の循環を表示した同断面を示す。
【図５】本発明による照明デバイスの更なる実施形態の断面を示す。
【図６】本発明による照明デバイスの更に別の実施形態の断面を示す。
【発明を実施するための形態】
【００３４】
図面は概略的であり、正確な縮尺ではない事が強調される。異なる図面に示された照明デバイスの同一要素は、可能な限り同じ参照符号で示される。
【００３５】
図１では、非常にコンパクトな設計の本発明による照明デバイス１の第１の実施形態が示される。照明デバイスは、直（点）線２上に配置された複数のＬＥＤ（詳細には不図示）を含む光源コネクタを有する。照明デバイスの動作中、ＬＥＤが上に配置される基板８に対して垂直に延在する光軸面（不図示）を規定する主方向に複数のＬＥＤが発光する。この実施形態では、基板８は、照明デバイスのハウジングを表す。必要であれば、基板は、ボウル又は箱形状のハウジング内を占有してもよい。ＬＥＤを駆動する為に必要とされる必須の配線及びドライバ電子機器は、明確さの為に不図示である。それらは、基板８に又は基板８を上に配置する事ができるサブマウント上に取り付けられてもよい又は組み込まれてもよい。
【００３６】
照明デバイス１は、複数の反射セグメント４、４’、５、５’、６、６’、７及び７’から成る反射コリメータ３を更に含む。これらの８つの反射セグメントは、長手形状を有し、照明デバイスにおいて４つの対（４、４’）、（５、５’）、（６、６’）及び（７、７’）で配置される。各セグメント対の２つのセグメントは、光軸面の両側に対称的に配置される。更に、セグメントは、ＬＥＤによって規定される線２と実質的に平行に伸びる。光軸面に対向するセグメントの面は、反射性である及びそれらが放物線状の外形を有するように曲線を描く。長手方向セグメントは、それらが互いに間隔を空ける及びＬＥＤが上に配置される基板８からもそれらが間隔を空けるように配置されている。従って、エアスリットが、隣接するセグメント間及び光源（ここでは、複数のＬＥＤ）を含むハウジング（ここでは、基板８）と光源に最も近く配置されたセグメントとの間に存在する。セグメントは、反射面上にアルミニウムのメタライズ層を備えたプラスチック材料から製造される。ある代替実施形態では、セグメントは、熱伝導性金属又は金属合金から製造されてもよい。
【００３７】
照明デバイス１は、長手形状フレネルレンズ９として設計された屈折コリメータも含む。レンズ９の光軸面は、複数のＬＥＤによって規定された上述の光軸面と実質的に一致する。レンズ９、反射セグメント４、４’、５、５’、６、６’、７、７’、及びＬＥＤを備えた基板８は、照明デバイス１の両端部に配置される、模式的に示された接続手段１０を用いて相互に接続される。屈折コリメータは、誘電材料から製造されたものである。接続手段は、シートメタル、プラスチック又は別の適切な材料から製造されたものである。
【００３８】
照明デバイスの動作中、ＬＥＤによって生成された光は、反射コリメータ３及び屈折コリメータ９によってコリメートされる。より詳細には、発せられた光の主方向から約３０°を超える角度離れて発せられた、ＬＥＤによって生成された光の部分（横断的方向に発せられた光）は、前記主方向と実質的に平行な方向に向けて反射コリメータのセグメントによって反射される。一方、発せられた光の主方向から約３０°未満の角度離れて発せられた、ＬＥＤによって生成された光の部分（中心に発せられた光）は、前記主方向と実質的に平行な方向に向けてフレネルレンズによって屈折させられる。両方のコリメートされた光の部分は、単一の光線として目に見える単一コリメート光ビームへと合成される。ここに記載されたコンパクトな照明デバイスを用いた場合、良好なコリメート光線を生成する事ができる事が明らかにされた。
【００３９】
照明デバイスの動作中にＬＥＤによって生成された熱は、基板８並びに両コリメータ３及び９によって囲まれた空間内のＬＥＤ及びハウジング（ここでは、基板８）によって放散する事ができる。隣接する反射セグメント間及び光源とそれに最も近い反射セグメントとの間のエアスリットの存在により、言及したエアスリットを介して前記空間に出入りする事ができる受動的気流が生成され得る。その結果、本発明による照明デバイスのこの実施形態において、満足のいく熱放散が存在する。
【００４０】
図２は、同様に小アスペクト比を有する、本発明による照明デバイス１の第２の実施形態を示す。照明デバイスは、コンパクトな実装設計で配置された３つのＬＥＤ（詳細には不図示）を含む光源１１を有する。照明デバイスの動作中、これら３つのＬＥＤは、光軸１２を規定する主方向に発光する。ＬＥＤを駆動させる為に必要とされる必須の配線及びドライバ電子機器は、明確さの為に不図示である。それらは、３つのＬＥＤが上に配置される基板上若しくは基板中、又はこの基板を上に固定する事ができるサブマウント上に配置されてもよい。
【００４１】
照明デバイス１は、複数の反射セグメント４、５、６、及び７から成る反射コリメータ３を更に含む。これら４つの反射セグメントは、円形状を有し、照明デバイスの光軸１２の周囲で対称的に配置される。光軸１２に対向するセグメントの面は反射性であり、それらが放物線状の外形を有するように曲線を描く。リング形状セグメントは、それらが互いに間隔を空ける及びＬＥＤからも間隔を空けるように配置されている。従って、換気スリットが、隣接するセグメント間に存在する。追加のエアスリットが、ハウジング（不図示）と、光源がその内部又は上に配置されるハウジングに最も近く配置されたセグメントとの間に利用可能でもよい。セグメントは、金属シートのスタンピング又は深絞りによって、一般的にアルミニウム又はアルミニウム合金の熱伝導材料から製造される。このように製造された反射セグメントは、使用された材料が十分な反射性を示さない場合に、追加的に反射コーティングを備えていてもよい。
【００４２】
照明デバイス１は、回転対称フレネルレンズ９として設計された屈折コリメータも含む。このレンズは、透明誘電材料から製造されたものである。レンズ９の光軸は、上記した光軸１２と実質的に一致する。照明デバイスの様々な構成要素、即ち、レンズ９、反射セグメント４、５、６、７、及びＬＥＤが上に配置される基板（不図示）は、ＬＥＤの周囲で回転対称に配置された３つの接続手段１０を用いて互いに接続される。接続手段１０は、一般的にアルミニウム又はアルミニウム合金の熱伝導材料から製造されている。基板は、ＬＥＤ１１によって生成された熱を運ぶ為に、金属層も備える。
【００４３】
照明デバイスの動作中、ＬＥＤによって生成された光は、反射コリメータ３及び屈折コリメータ９によってコリメートされる。一連の光ビーム１３（全て光軸１２を通る単一平面Ｘにある）が図中に示される。発せられた光の主方向から約３０°を超える角度離れて発せられた、ＬＥＤによって生成された光の部分（横断的方向に発せられた光）は、前記主方向と実質的に平行な方向に向けて反射コリメータの円形状セグメントによって反射される。一方、発せられた光の主方向から約３０°未満の角度離れて発せられた、ＬＥＤによって生成された光の部分（中心に発せられた光）は、前記主方向と実質的に平行な方向に向けてフレネルレンズによって屈折させられる。両方のコリメートされた光の部分は、単一の光ビームとして形成される単一コリメート光ビームへと合成される。ここに記載されたコンパクトな照明デバイスを用いた場合、良好なコリメート光ビームを生成する事ができる事が明らかにされた。
【００４４】
照明デバイスの動作中にＬＥＤによって生成された熱は、基板上の熱伝導性層及び接続手段１０によって、ＬＥＤから反射コリメータ３のセグメントへと伝導される。隣接する反射セグメント間及び光源とそれに最も近い反射セグメントとの間の換気スリットの存在により、温度差によって受動的気流を生成する事ができ、この流れは、言及したエアスリットを介して前記空間に出入りする事ができる。その結果、本発明による照明デバイスのこの実施形態において、満足のいく熱放散が存在する。
【００４５】
図３は、図２に示されるような照明デバイス１の断面を示す。より詳細には、この断面は、前述の平面Ｘと一致する。この断面は、基板８上にコンパクトな実装設計で配置された３つのＬＥＤ１１から成る光源を示す。後者の基板（デバイスのハウジングを形成する）は、ＬＥＤ１１によって生成された熱を伝導する為の熱伝導性金属層を備える。照明デバイスは、反射セグメント４、５、６及び７を含む円形状を有する反射コリメータ３並びに屈折コリメータ９も含む。４つの反射セグメントは全て、曲線を描く、より正確には、放物線状の外形を有する。実際には、４つのセグメントは、互いに異なる焦点距離を有する放物面から切除された部分である。当業者は、隣接するセグメント間で最適な幅を有するスリットが得られるように焦点距離を選択する事ができる。
【００４６】
図３は、光源によって発せられた光が隣接するセグメント間で実質的に少しも漏れ出る事ができず、セグメントの何れにおいても実質的に少しも影の領域が存在しないように隣接する反射セグメントが配置されている事を明確に示す。従って、セグメント４及び５は、光ビーム１３がセグメント５の下の縁及びセグメント４の上の縁に丁度当たるように配置される。この正確な位置決めにより、セグメント４と５との間で光が漏れ出る事はできず、セグメント４の上の縁上に影の領域は存在しない。光軸１２の方向に沿った、他のセグメントに対する１つのセグメントのずれは、そのような光の漏れ又は影の領域をもたらす結果となる。
【００４７】
放物線状セグメントは、点光源近似における小光源の場合又は効率ではなく強度が主要目的であるときの幅のある光源の場合に最適な形状であるが、幅のある光源の場合、反射セグメント間の光損失及び影形成を回避する為に、基本的な放物線状セグメントの外形に対する最適化を適用する事ができる。このような形状の変更は、各セグメントの上端及び下端に適用され得る。反射セグメントの上端は、光損失を回避する為に、前の内側のセグメントの下端の下を通過する幅のある光源からの光が全て捕捉される事を確実にする為に変更及び延長されてもよい。このような延長は、前の内側のセグメントの下端にその焦点を有する別の放物線状プロファイルを有し得る。反射素子の下端に対して、一方の焦点が幅のある光源の端部にあり、他方の焦点が前の内側のセグメントの上端にある楕円断面が適用されてもよい。
【００４８】
図４は、本発明の照明デバイスにおいて、ＬＥＤ１１が上に配置された基板８によって加熱された後のエアフローを模式的に示す。従って、加熱された空気は、ハウジング（ここでは基板８）、反射コリメータ３、及び屈折コリメータ９によって囲まれた空間から換気スリット１３を介して逃げる事ができる。空気循環は、対流により、前記空間から熱い空気の退出及び前記空間への冷たい空気の進入を生じさせる。この実施形態では、セグメント４とハウジングとの間にエアスリットは存在しない。しかしながら、このようなスリットは、それに応じてハウジングを陥没させる事によって簡単に設ける事ができる。
【００４９】
図５は、向上した能動的空気循環用に設計された本発明の照明システムの別の実施形態の断面を示す。この実施形態の基板８は、配線及びドライバ電子機器（詳細には不図示）を格納するハウジング１４上に配置される。基板８の真下には、エアムーバー、この場合ファンが設置されている。前記ファンは、電力供給ユニット１６、アーム１７、及び２つ又はそれ以上のブレード１８を含む。ファンに電力を供給すると、アーム及びブレードが回転を始め、エアフローを生じさせる。
【００５０】
この改良設計によれば、反射コリメータ３の最大寸法によって規定される外側領域内の基板８にスルーホール１５が作られている。スルーホール１５は光源から異なる距離にあるので、ファンによって動かされる最適な気流を設計する事ができる。気流は、ハウジング１４（基板８を含む）と両コリメータ３、９との間の空間に蓄積した熱い空気を除去する事ができる。これは、コリメータ３の反射セグメントを効率的に冷却する事もできる。これは、セグメントがヒートシンクとして機能すべき場合に特に興味深い。これは、反射セグメント及び接続手段が熱伝導性材料から成る並びにそれらがＬＥＤ１１と熱伝導接触している（例えば基板８を介して）場合に特に有用である。
【００５１】
図６は、本発明の照明デバイスの更に別の実施形態を模式的に示す。この実施形態では、ハウジング１４は、チャンネル１６を備える。これらのチャンネルは、ブロワー等の少なくとも１つのエアムーバー、ファン、又はシンセティックジェットを含む。本実施形態では、ファンは、ハウジング１４の底部に設置されている。前記ファンは、電力供給ユニット１６、アーム１７、及び２つ又はそれ以上のブレード１８を含む。ファンに電力を供給すると、アーム及びブレードが回転を始め、エアフローを生じさせる。矢印は、底部から頂部に向けての強制エアフローを示すが、逆方向のエアフローも上手く機能する。多くの用途において、図中の矢印によって示されるように、デバイスの前部（レンズ）へと空気を移動させる事が実用的であるように思われる。エアムーバーは、例えば、隣接する反射セグメント間に位置するエアギャップを介して空気が逃げる事ができるように、基板８並びに両コリメータ３及び９によって規定された空間内で過圧力を生じさせる事ができる。この設計は、ハウジング１４内に組み込まれたドライバ電子機器を効率的に冷却するであろう。
【００５２】
図面及び上記において本発明を詳細に例示及び説明したが、このような例示及び説明は、限定的ではなく説明に役立つ又は例と見なされるものであり、本発明は開示された実施形態に限定されない。請求項に係る発明の実施において、図面、開示内容、及び添付の特許請求の範囲の研究から、開示された実施形態に対する他のバリエーションが当業者によって理解及び達成され得る。特許請求の範囲では、「含む（comprising）」という単語は、他の要素又はステップを排除せず、不定冠詞「a」又は「an」は、複数を排除しない。特定の手段が互いに異なる従属クレームに記載されるという単なる事実は、これらの手段の組み合わせを有利に使用できない事を示すものではない。特許請求の範囲中の参照符号は、範囲を限定すると解釈されるものではない。
【図１】
0006275142.tif 000002
【図２】
0006275142.tif 000003
【図３】
0006275142.tif 000004
【図４】
0006275142.tif 000005
【図５】
0006275142.tif 000006
【図６】
0006275142.tif 000007